(57)【要約】【課題】  水切りを下枠に簡単にしかも安定して取付けることができ、躯体への雨水の浸入を確実に阻止できるサッシの提供。【解決手段】  下枠１と、下枠下面１ａに取付けた水切り２とを備え、下枠１は、下面１ａより下方に垂下する躯体固定片３と、躯体固定片から室外側に離間した位置の下面に設けたタッピングホール４と、下面の室外側端部に設けた被係止部５とを有し、水切り２は、室内側端部に設けた室内側係止片６と、室内側係止片の室外側に設けた下枠下面への当接部７と、当接部の室外側に設けてあり下枠よりも室外側まで張出す水切り部８と、水切り部の上面に突設した室外側係止片９とを有し、室内側係止片６を下枠のタッピングホール４内に下方より係止し、室外側を持ち上げるように回動して室外側係止片９を下枠の被係止部１８に係止すると共に当接部７を下枠下面１ａに防水テープ１０により接着して下枠に取付けている。【選択図】      図１
2009121156.tif 000002
【特許請求の範囲】
【請求項１】
下枠と、下枠下面に取付けた水切りとを備え、下枠は、下面より下方に垂下する躯体固定片と、躯体固定片から室外側に離間した位置の下面に設けたタッピングホールと、下面の室外側端部に設けた被係止部とを有し、水切りは、室内側端部に設けた室内側係止片と、室内側係止片の室外側に設けた下枠下面への当接部と、当接部の室外側に設けてあり下枠よりも室外側まで張出す水切り部と、水切り部の上面に突設した室外側係止片とを有し、室内側係止片を下枠のタッピングホール内に下方より係止し、室外側を持ち上げるように回動して室外側係止片を下枠の被係止部に係止すると共に当接部を下枠下面に防水テープにより接着して下枠に取付けていることを特徴とするサッシ。
【請求項２】
下枠と、下枠下面に取付けた水切りとを備え、下枠は、下面より下方に垂下する躯体固定片と、躯体固定片から室外側に離間した位置の下面に設けたタッピングホールと、タッピングホールよりも室外側の下面に室内外方向に離間して設けた室外側被係止部及び室内側被係止部とを有し、水切りは、下枠下面への当接部と、当接部の室外側に設けてあり下枠よりも室外側まで張出す水切り部と、水切り部の上面に室内外方向に離間して突設した室外側係止片及び室内側係止片とを有し、室外側係止片を下枠の室外側被係止部に下方より係止し、室内側を持ち上げるように回動して室内側係止片を下枠の室内側被係止部に係止すると共に当接部を下枠下面に防水テープにより接着して下枠に取付けてあり、水切りの当接部の室内側の縁が下枠のタッピングホールよりも室外側に位置していることを特徴とするサッシ。
【請求項３】
水切りは、室外側係止片よりも室外側に中空部を有していることを特徴とする請求項１又は２記載のサッシ。
【請求項４】
左右のサッシ枠と、左右のサッシ枠の竪枠同士を連結する方立とを備え、方立の下端部に方立キャップが取付けてあり、水切りは、左右のサッシ枠の下枠に跨って取付けてあり、方立キャップを避けるように室内側からコ字形に切り欠き部を形成してあり、切り欠き部の室外側の縁が中空部よりも室内側に位置していることを特徴とする請求項３記載のサッシ。
【発明の詳細な説明】
【技術分野】
【０００１】
本発明は、下枠下面に水切りを取付けたサッシに関する。
【背景技術】
【０００２】
従来のサッシにおいては、サッシ枠から流れ落ちる汚れた雨水が外壁にかかり、外壁が汚れるのを防止するため、下枠の下方に水切りを取付けることがある。従来の水切り９０は、図１７に示すように、下枠９１の下面９１ａと間隔を開けた状態で躯体９２の室外側面にビス止めして取付けていたので（例えば、非特許文献１参照。）、図中に矢印９３で示すように、強い雨風のときには雨水が水切り９０上面を伝って躯体９２まで浸入する不都合があった。
【０００３】
また他の従来例として、図１８に示すように、下枠９１の下面９１ａに水切り９０を取付けたものもある。この水切り９０は、中空板状の本体部９０ａと、本体部の室内側端部より室内側に階段状にのびる当接部９０ｂとを有し、本体部の上面に突設した鉤形の係止片９０ｃを下枠の室外側端部９１ｂに引っ掛け、当接部９０ｂ上面と下枠下面９１ａを両面テープ９４で接着して取付けている。この水切り９０の取付け方は、当接部９０ｂ上面に両面テープ９４を予め貼り付けておき、図中に仮想線で示すように水切りを傾けた状態で係止片９０ｃを下枠の室外側端部９１ｂに引っ掛け、その係止部を支点に当接部９０ｂが持ち上げるように水切りを回動し、両面テープ９４を下枠下面９１ａに圧着するものである。この水切りは、下枠との係止部が一箇所しかないため取付状態が非常に不安定であり、そのため両面テープ９４が剥がれて下枠下面９１ａと当接部９０ｂ上面との間に隙間が開くおそれが高い。また、当接部９０ｂが下枠の躯体固定片９１ｃまでのびているので、図中の矢印９３に示すように、当接部９０ｂ上面と下枠下面９１ａの隙間に雨水が浸入すると、雨水９４が躯体９２へと浸入するおそれがある。さらに、連窓の下枠に水切りを取付ける場合には、方立の下方を当接部９０ｂから本体部９０ａ上面に亘ってコ字形に切り欠く必要があるが、切り欠きによって断面強度が低下するために、切り欠きした部分で水切りに曲がりが生じる。
【非特許文献１】三協立山アルミ株式会社発行のカタログ「和風サッシ  秀峰テラス・桧」（カタログＮｏ．ＳＴＪ０１６９Ａ  Ｙ．０７．０１−０９０）、第１版、２００７年１月、ｐ．１８１（水切・水切キャップ納まり参考図）
【発明の開示】
【発明が解決しようとする課題】
【０００４】
本発明は以上に述べた実情に鑑み、水切りを下枠に簡単にしかも安定して取付けることができ、躯体への雨水の浸入を確実に阻止でき、さらには連窓の場合でも水切りに曲がりが生じないサッシの提供を目的とする。
【課題を解決するための手段】
【０００５】
上記の課題を達成するために請求項１記載の発明によるサッシは、下枠と、下枠下面に取付けた水切りとを備え、下枠は、下面より下方に垂下する躯体固定片と、躯体固定片から室外側に離間した位置の下面に設けたタッピングホールと、下面の室外側端部に設けた被係止部とを有し、水切りは、室内側端部に設けた室内側係止片と、室内側係止片の室外側に設けた下枠下面への当接部と、当接部の室外側に設けてあり下枠よりも室外側まで張出す水切り部と、水切り部の上面に突設した室外側係止片とを有し、室内側係止片を下枠のタッピングホール内に下方より係止し、室外側を持ち上げるように回動して室外側係止片を下枠の被係止部に係止すると共に当接部を下枠下面に防水テープにより接着して下枠に取付けていることを特徴とする。
【０００６】
請求項２記載の発明によるサッシは、下枠と、下枠下面に取付けた水切りとを備え、下枠は、下面より下方に垂下する躯体固定片と、躯体固定片から室外側に離間した位置の下面に設けたタッピングホールと、タッピングホールよりも室外側の下面に室内外方向に離間して設けた室外側被係止部及び室内側被係止部とを有し、水切りは、下枠下面への当接部と、当接部の室外側に設けてあり下枠よりも室外側まで張出す水切り部と、水切り部の上面に室内外方向に離間して突設した室外側係止片及び室内側係止片とを有し、室外側係止片を下枠の室外側被係止部に下方より係止し、室内側を持ち上げるように回動して室内側係止片を下枠の室内側被係止部に係止すると共に当接部を下枠下面に防水テープにより接着して下枠に取付けてあり、水切りの当接部の室内側の縁が下枠のタッピングホールよりも室外側に位置していることを特徴とする。
【０００７】
請求項３記載の発明によるサッシは、請求項１又は２記載の発明の構成に加え、水切りは、室外側係止片よりも室外側に中空部を有していることを特徴とする。
【０００８】
請求項４記載の発明によるサッシは、請求項３記載の発明の構成に加え、左右のサッシ枠と、左右のサッシ枠の竪枠同士を連結する方立とを備え、方立の下端部に方立キャップが取付けてあり、水切りは、左右のサッシ枠の下枠に跨って取付けてあり、方立キャップを避けるように室内側からコ字形に切り欠き部を形成してあり、切り欠き部の室外側の縁が中空部よりも室内側に位置していることを特徴とする。
【発明の効果】
【０００９】
請求項１記載の発明によるサッシは、水切りを下枠下面に取付ける際、室内側係止片を下枠のタッピングホール内に下方より係止し、室外側を持ち上げるように回動して室外側係止片を下枠の被係止部に係止すると共に当接部を下枠下面に防水テープにより接着することで、容易に取付けることができ、しかも室内側係止片と室外側係止片の二箇所が下枠のタッピングホールと被係止部に係止し尚且つ当接部が下枠下面に防水テープで接着されるので、安定して取付けできる。また、下枠のタッピングホールが躯体固定片から室外側に離間した位置に設けてあり、水切りの室内側端部に設けた室内側係止片と躯体固定片との間に間隔があるため、万が一下枠下面と水切りの当接部との間から雨水が浸入したとしても、躯体まで雨水が浸入することがない。
【００１０】
請求項２記載の発明によるサッシは、水切りを下枠下面に取付ける際、室外側係止片を下枠の室外側被係止部に下方より係止し、室内側を持ち上げるように回動して室内側係止片を下枠の室内側被係止部に係止すると共に当接部を下枠下面に防水テープにより接着することで、容易に取付けることができ、しかも室内側係止片と室外側係止片の二箇所が下枠の被係止部に係止し尚且つ当接部が下枠下面に防水テープで接着されるので、安定して取付けできる。また、水切りの当接部の室内側の縁が下枠のタッピングホールよりも室外側に位置しているため、万が一下枠下面と水切りの当接部との間から雨水が浸入したとしても、躯体まで雨水が浸入することがない。
【００１１】
請求項３記載の発明によるサッシは、水切りが室外側係止片よりも室外側に中空部を有していることで、水切りの強度が向上する。
【００１２】
請求項４記載の発明によるサッシは、左右のサッシ枠の竪枠同士を方立で連結し、方立の下端部に方立キャップが取付けてあり、水切りは方立キャップを避けるように室内側からコ字形に切り欠き部を形成して左右のサッシ枠の下枠に跨って取付けてあり、切り欠き部の室外側の縁が中空部よりも室内側に位置しているので、中空部により強度を確保し、切り欠き部を形成したところで水切りに曲がりが生ずるのを防止できる。
【発明を実施するための最良の形態】
【００１３】
以下、本発明の実施の形態を図面に基づいて説明する。図３は、本発明のサッシの第１実施形態（請求項１記載の発明の実施形態）を示す室外側正面図であり、図１は図３のＡ−Ａ断面図、図２は図３のＢ−Ｂ断面図である。本サッシは、引違い窓の場合の実施形態であって、図３に示すように、上枠２０と下枠１と左右の竪枠２１ａ，２１ｂを枠組みしてサッシ枠１３が形成され、サッシ枠１３内に内障子２２ａと外障子２２ｂが上下枠２０，１の長手方向に設けたレールに沿って左右方向に移動自在に収納してある。下枠１の下面には水切り２が取付けてある。
【００１４】
サッシ枠１３は、いわゆる半外付けタイプとなっており、下枠１は、図１に示すように、下面１ａの室内側に下方に垂下した躯体固定片３を有し、躯体固定片３を躯体２３の室外側面に当接してビス２４で固定している。下枠の下面１ａの躯体固定片３から室外側に離間した位置には、タッピングホール４が形成してある。タッピングホール４は、下面側がスリット状に開口している。下枠の下面１ａの室外側端部には、水切り２の室外側係止片９が係止する被係止部５を有している。被係止部５は、縦片５ａと、縦片５ａの先端部より室内側に突出した横片５ｂとで鉤状に形成してある。
【００１５】
水切り２は、図１と図４に示すように、室内側端部に下枠１のタッピングホール４に係止する室内側係止片６を有している。室内側係止片６は、縦片６ａの先端部室内側に略１／４円弧状に曲がった突片６ｂを形成したものとなっており、突片６ｂの室内側面には突部６ｃが設けてある。室内側係止片６の室外側には、下枠下面１ａへの当接部７を有している。当接部７の上面と下枠下面１ａとの間には、防水テープ１０が設けてある。防水テープ１０は、上下面に接着面を有し、下枠下面１ａと当接部７上面に接着しており、下枠下面１ａと当接部７上面の間から雨水が浸入するのを防止している。当接部７の室外側には、下向きに傾斜して室外側に張出した水切り部８を有している。水切り部８は、図２に示すように、下枠１よりも室外側まで張出すと共に、左右の竪枠２１ａ，２１ｂよりも側方に張出している。また水切り部８は、当接部７より一段低くなっている。水切り部８の上面には、図１と図４に示すように、下枠１の被係止部５に係止する室外側係止片９を有している。室外側係止片９は、縦片９ａの先端部室外側にＬ形の突片９ｂを形成したものとなっており、突片９ｂが下枠１の被係止部５の室内側に係止している。突片９ｂは、先端部の室外側を斜めに面取りしてある。
【００１６】
水切り２の左右両端部は、図２と図５に示すように、竪枠２１ａ，２１ｂとの干渉を避けるために、室内側係止片６と当接部７と室外側係止片９とが切り欠かれている。水切り２の左右両端部には、キャップ２５がネジ２６で取付けてある。図６は、本サッシの下側のコーナー部を示しており、図中に仮想線２７で囲ったサッシ枠１３コーナー部と水切り２の間の隙間はシール材でシールされる。また図１に示すように、水切り２の下面と外壁２８との間の隙間は、シール材２９によりシールしている。
【００１７】
次に、水切り２の下枠１への取付け方を説明する。水切り２は、図５に示すように、当接部７に長手方向の全長に亘って防水テープ１０を予め貼り付けておき、取付け時に防水テープ１０上面の剥離紙を剥がして接着面を露出させる。その後、図７に示すように、水切り２を室内側部分が高くなるように傾けた状態で、室内側係止片６を下枠１のタッピングホール４内に下方より差し込んで係止させる。その後、その係止部を支点にして室外側部分を持ち上げるように水切り２を回動させると、室外側係止片９が下枠１の被係止部５の室内側に弾発的に係止し、同時に防水テープ１０が下枠下面１ａに接着する。
水切り２は、このようにして下枠１に簡単に取付けできる。しかも水切り２は、室内側係止片６と室外側係止片９の二箇所が下枠１のタッピングホール４と被係止部５とに室内外方向に突っ張るように係止しており、尚且つ当接部７が下枠下面１ａに防水テープ１０を介して接着されるため、安定して下枠１に取付けできる。さらに室内側係止片６は、図４に示すように、突片６ｂの先端部６ｄと突部６ｃと根元部６ｅの３点でタッピングホール４内を室内外方向に押し広げるように圧接して、タッピングホール４内で突っ張るような形で嵌合し、これにより水切り２の取付けの安定性がより一層高められる。
【００１８】
本サッシは、上述のように下枠下面１ａに水切り２が取付けてあるため、サッシ枠１３から流れ落ちる雨水は水切り２上面を伝って外壁２８から室外側に離れたところに落ちるので、外壁２８にサッシ枠１３からの汚れた雨水がかかるのを防ぎ、外壁２８が汚れるのを防止できる。また、図１中に矢印３０ａで示すように、下枠下面１ａと水切り２上面との間から浸入しようとする雨水は、防水テープ１０により室内側への浸入が阻止される。万が一、防水テープ１０を超えて雨水が浸入した場合でも、水切り２の室内側端部（室内側係止片６）と下枠１の躯体固定片３との間に間隔Ｓを設けてあるので、雨水は図中の矢印３０ｂで示すように躯体固定片３の手前で落下し、躯体２３まで雨水が浸入することがない。
【００１９】
図８は、本発明のサッシの第２実施形態（請求項２，３記載の発明の実施形態）を示す室外側正面図であり、図９は図８のＡ−Ａ断面図、図１０は図８のＢ−Ｂ断面図である。本サッシは、たてすべり出し窓の場合の実施形態であって、上枠２０と下枠１と左右の竪枠２１ａ，２１ｂを枠組みしてサッシ枠１３が形成され、サッシ枠１３内に障子３１が支持金具（図示省略）によりたてすべり出し式に開閉自在に支持されている。下枠１の下面には水切り２が取付けてある。水切り２の取付部分の構造は、先に述べた引違い窓とは異なっており、以下、その水切り２の取付部分の構造について述べる。
【００２０】
下枠１は、図９に示すように、下面１ａの室内側に下方に垂下した躯体固定片３を有し、躯体固定片３を躯体２３の室外側面に当接してビス２４で固定している。下枠の下面１ａには、躯体固定片３より室外側に離間した位置と、それよりもさらに室外側に離間した位置の２箇所にタッピングホール４，３２が設けてある。下枠の下面１ａの室外側端部には、水切り２の室外側係止片９が係止する室外側被係止部１８を有している。室外側被係止部１８は、縦片１８ａと、縦片１８ａの先端部より室内側に突出した横片１８ｂとで鉤状に形成してある。室外側被係止部１８から室内側に離間した位置には、水切り２の室内側係止片６が係止する室内側被係止部１１を有している。室内側被係止部１１は、下枠下面１ａの室外側のタッピングホール３２から室外側に突出する形で形成してある。
【００２１】
水切り２は、図９に示すように、室内側端部に下枠下面１ａへの当接部７を有している。当接部７の上面と下枠下面１ａとの間には、防水テープ１０が設けてある。防水テープ１０は、上下面に接着面を有し、下枠下面１ａと当接部７上面に接着しており、下枠下面１ａと当接部７上面の間から雨水が浸入するのを防止している。当接部７の室内側の縁７ａは、下枠下面１ａの室内側のタッピングホール４よりも室外側に位置している。当接部７の室外側には、室外側に張出した水切り部８を有している。水切り部８は、当接部７より一段低くなっている。水切り部８の下枠１よりも室外側に張出した部分には、略四角形断面の中空部１２が設けてある。中空部１２よりも室内側の水切り部８上面には、下枠１の室外側被係止部１８に係止する室外側係止片９と、下枠１の室内側被係止部１１に係止する室内側係止片６とが、室内外方向に離間して設けてある。室外側係止片９は、縦片９ａの中間部に横片９ｃを室外側に突出して形成したものとなっており、横片９ｃが下枠１の室外側被係止部１８の室内側に係止している。室内側係止片６は、縦片６ａの先端部室外側にくの字状に鋭角に曲がった鉤状片６ｆを形成したものとなっており、鉤状片６ｆが下枠１の室内側被係止部１１の室外側に係止している。
【００２２】
次に、水切り２の下枠１への取付け方を説明する。水切り２は、当接部７に長手方向の全長に亘って防水テープ１０を予め貼り付けておき、取付け時に防水テープ１０上面の剥離紙を剥がして接着面を露出させる。その後、図１１に示すように、水切り２を室外側部分が高くなるように傾けた状態で、室外側係止片９を下枠１の室外側被係止部１８の室内側に係止させる。その後、その係止部を支点にして室内側部分を持ち上げるように水切り２を回動させると、室内側係止片６が下枠１の室内側被係止部１１の室外側に弾発的に係止し、同時に防水テープ１０が下枠下面１ａに接着する。
水切り２は、このようにして下枠１に簡単に取付けできる。しかも水切り２は、室外側係止片９と室内側係止片６の二箇所が下枠１の室外側被係止部１８と室内側被係止部１１とに室内外方向に突っ張るように係止しており、尚且つ当接部７が下枠下面１ａに防水テープ１０を介して接着されるため、安定して下枠１に取付けできる。
図９中に矢印３０ａで示すように、下枠下面１ａと水切り２上面との間から浸入しようとする雨水は、防水テープ１０により室内側への浸入が阻止される。万が一、防水テープ１０を超えて雨水が浸入した場合でも、水切り２の当接部７の室内側の縁７ａが下枠下面１ａの室内側のタッピングホール４よりも室外側に位置しており、当接部７の室内側の縁７ａと下枠１の躯体固定片３との間に間隔Ｓを設けてあるので、雨水は図中の矢印３０ｂで示すように躯体固定片３の手前で落下し、躯体２３まで雨水が浸入することがない。
たてすべり出し窓を含む全ての装飾窓（例えば、回転窓、上げ下げ窓、嵌め殺し窓等）で、下枠１の下面１ａに対して室外側・室内側被係止部１８，１１を同じ位置関係で設けておけば、同一の断面形状の水切り２を全ての装飾窓の下枠１に取付けることができる。
【００２３】
図１２は、本発明のサッシの第３実施形態（請求項４記載の発明の実施形態）であって、たてすべり出し窓３３，３３と嵌め殺し窓３４を連窓にした実施形態を示す室外側正面図であり、図１３は図１２のＡ−Ａ断面図、図１４は図１２のＢ−Ｂ断面図である。たてすべり出し窓３３は、先に述べた第２実施形態のものと同様のものであり、嵌め殺し窓３４は、上枠２０と下枠１と左右の竪枠２１ａ，２１ｂを枠組みしてサッシ枠１３が形成され、サッシ枠１３内にガラス３５を嵌め込んである。たてすべり出し窓３３のサッシ枠１３と嵌め殺し窓３４のサッシ枠１３は、見込み寸法が同一となっている。たてすべり出し窓３３の竪枠２１ａ，２１ｂと嵌め殺し窓３４の竪枠２１ａ，２１ｂの間には、図１４に示すように方立１４が配置してあり、方立１４の室外側と室内側に形成された鉤状の係合部３６ａ，３６ｂに両竪枠２１ａ，２１ｂを係合し、竪枠２１ａ，２１ｂ同士を方立１４で連結している。水切り２は、図１２に示すように、一本物で、たてすべり出し窓３３の下枠１，１と嵌め殺し窓３４の下枠１の下面に跨って取付けてある。
【００２４】
嵌め殺し窓３４の下枠１は、図１３に示すように、図９に示した第２実施形態のたてすべり出し窓と同じ位置関係で躯体固定片３、室外側被係止部１８及び室内側被係止部１１を有している。水切り２は、先に説明したたてすべり出し窓用のものと同一の断面形状となっており、取付け方も先に説明したたてすべり出し窓の場合と同様である。
【００２５】
方立１４の下端部には、図１４に示すように、方立キャップ１５が取付けてある。方立キャップ１５は、図１６に示すように、樹脂で略アングル状に形成され、方立１４の左側と右側に位置するたてすべり出し窓３３の下枠１と嵌め殺し窓３４の下枠１の下面１ａ，１ａに跨って当接し、ビス３７を方立１４のタッピングホール３８に捩じ込んで固定している。方立キャップ１５の室外側には、水抜き孔３９が設けてある。
【００２６】
水切り２は、図１５（ａ）に示すように、方立キャップ１５を避けるように、室内側からコ字形に切り欠き部１６を形成してある。切り欠き部１６の室外側の縁１７は、図１５（ｂ）に示すように、中空部１２の室内側面１２ａと同面となっている。すなわち、切り欠き部１６は中空部１２にまで及んでおらず、中空部１２の断面強度がそのまま維持されており、そのため切り欠き部１６を形成した箇所で水切り２に曲がりが生ずるのを防止できる。
また、従来は水切り２のコ字状の切り欠き部１６と方立キャップ１５との隙間を全周シールする必要があったが、本実施形態のものは、図１５（ｂ）に示すように、切り欠き部１６の室外側の縁１７が方立キャップ１５の室外側の縁１５ａと同面となっており、図１５（ａ）中の二点鎖線４０，４０で囲った方立キャップ１５の両側と切り欠き部１６の間だけをシールし、室外側部のシールを省略している。そのためシール作業が簡略化される。方立キャップ１５の水抜き孔３９から流下する水は、水切り２の中空部１２内に入ることなくそのまま下に落ちる。
【００２７】
本発明は以上に述べた実施形態に限定されない。水切りの室外側係止片、室内側係止片や、これらが係止する下枠の被係止部の形状は、適宜変更することができる。水切りは、サッシ枠を躯体開口部に取付けた後に下枠に取付けてもよいが、サッシ枠を躯体開口部に取付ける前に下枠に予め取付けておくこともできる。防水テープは、水切りの当接部上面に予め貼り付けておくのではなく、下枠下面に予め貼り付けておくこともできる。窓の種類は、引違い窓やたてすべり出し窓に限らず、あらゆる種類の窓に適用できる。
【図面の簡単な説明】
【００２８】
【図１】図３のＡ−Ａ断面図である。
【図２】図３のＢ−Ｂ断面図である。
【図３】本発明のサッシの第１実施形態（引違い窓）を示す室外側正面図である。
【図４】第１実施形態のサッシの水切りの取付部分を拡大して示す縦断面図である。
【図５】水切りの斜視図である。
【図６】サッシ下側のコーナー部を室外側から見た斜視図である。
【図７】第１実施形態の水切りの下枠への取付時の状態を示す縦断面図である。
【図８】本発明のサッシの第２実施形態（たてすべり出し窓）を示す室外側正面図である。
【図９】図８のＡ−Ａ断面図である。
【図１０】図８のＢ−Ｂ断面図である。
【図１１】第２実施形態の水切りの下枠への取付時の状態を示す縦断面図である。
【図１２】本発明のサッシの第３実施形態（連窓）を示す室外側正面図である。
【図１３】図１２のＡ−Ａ断面図である。
【図１４】図１２のＢ−Ｂ断面図である。
【図１５】（ａ）は第３実施形態の水切りの平面図であり、（ｂ）は（ａ）のＡ−Ａ断面図である。
【図１６】第３実施形態において、サッシ枠の連結部下面側及び水切りを分離した状態で示す斜視図である。
【図１７】従来の水切りの取付状態を示す縦断面図である。
【図１８】従来の水切りの他の例を示す縦断面図である。
【符号の説明】
【００２９】
１  下枠
１ａ  下枠下面
２  水切り
３  躯体固定片
４  タッピングホール
５  被係止部
６  室内側係止片
７  当接部
７ａ  当接部の室内側の縁
８  水切り部
９  室外側係止片
１０  防水テープ
１１  室内側被係止部
１２  中空部
１３  サッシ枠
１４  方立
１５  方立キャップ
１６  切り欠き部
１７  切り欠き部の室外側の縁
１８  室外側被係止部
【図１】
2009121156.tif 000003
【図２】
2009121156.tif 000004
【図３】
2009121156.tif 000005
【図４】
2009121156.tif 000006
【図５】
2009121156.tif 000007
【図６】
2009121156.tif 000008
【図７】
2009121156.tif 000009
【図８】
2009121156.tif 000010
【図９】
2009121156.tif 000011
【図１０】
2009121156.tif 000012
【図１１】
2009121156.tif 000013
【図１２】
2009121156.tif 000014
【図１３】
2009121156.tif 000015
【図１４】
2009121156.tif 000016
【図１５】
2009121156.tif 000017
【図１６】
2009121156.tif 000018
【図１７】
2009121156.tif 000019
【図１８】
2009121156.tif 000020